(57)【特許請求の範囲】
【請求項１】
所定期間端末を使用する一時利用の契約の下でユーザによる使用が可能となった一時端末のデータを、ユーザの本契約移行有無に応じ管理するデータ管理装置であって、
前記一時端末のデータを記憶する保存記憶手段と、
前記一時端末の登録を受け付け、前記一時端末を使用するときに用いる識別情報である一時ユーザ識別情報を発行する登録受付手段と、
前記一時端末において生成された端末データ及び前記一時ユーザ識別情報を、所定のタイミングで前記一時端末から受信し、受信した前記端末データを前記一時ユーザ識別情報に対応付けて前記保存記憶手段に記憶させる保存制御手段と、
前記一時ユーザ識別情報の入力と共に、本契約の開始を受け付ける契約開始受付手段と、
前記契約開始受付手段によって前記本契約の開始が受け付けられると、前記一時ユーザ識別情報に対応付けて記憶させた前記端末データを、前記本契約の対象である本契約端末に記憶させる端末再現手段と、
を備えるデータ管理装置。
【請求項２】
本契約移行の意志が無いユーザから前記一時ユーザ識別情報と共に、前記一時利用の契約終了を受け付ける契約終了受付手段をさらに備え、
前記保存制御手段は、前記契約終了受付手段によって前記一時利用の契約終了が受け付けられると、前記一時端末に記憶されている前記端末データを前記一時ユーザ識別情報に対応付けて前記保存記憶手段に記憶させる、請求項１に記載のデータ管理装置。
【請求項３】
前記保存制御手段によって前記端末データが前記保存記憶手段に記憶された後、所定の期間が経過すると、前記所定の期間が経過した前記端末データを削除するデータ削除手段をさらに備える請求項１また２のいずれか一項に記載のデータ管理装置。
【請求項４】
前記登録受付手段は、ユーザが一時端末の利用時に入力された情報を一時端末の一時ユーザ識別情報として発行する、請求項１から３に記載のデータ管理装置。
【請求項５】
前記保存制御手段は、前記一時端末が前記端末データを生成するごとに、前記端末データを前記一時端末から受信する、請求項１に記載のデータ管理装置。
【請求項６】
前記保存制御手段は、一定時間ごとに、前記端末データを前記一時端末から受信する、請求項１に記載のデータ管理装置。
【請求項７】
所定期間端末を使用する一時利用の契約の下でユーザによる使用が可能となった一時端末のデータを、ユーザの本契約移行有無に応じ管理するデータ管理装置が実行する方法であって、
前記一時端末のデータを保存記憶手段に記憶する保存記憶ステップと、
前記一時端末の登録を受け付け、前記一時端末を使用するときに用いる識別情報である一時ユーザ識別情報を発行する登録受付ステップと、
前記一時端末において生成された端末データ及び前記一時ユーザ識別情報を、所定のタイミングで前記一時端末から受信し、受信した前記端末データを前記一時ユーザ識別情報に対応付けて前記保存記憶手段に記憶させる保存制御ステップと、
前記一時ユーザ識別情報の入力と共に、本契約の開始を受け付ける契約開始受付ステップと、
前記契約開始受付ステップによって前記本契約の開始が受け付けられると、前記一時ユーザ識別情報に対応付けて記憶させた前記端末データを、前記本契約の対象である本契約端末に記憶させる端末再現ステップと、
を備える方法。
【請求項８】
コンピュータに、請求項７に記載の方法の各ステップを実行させるためのプログラム。
【発明の詳細な説明】
【技術分野】
【０００１】
本発明は、データ管理装置、方法及びプログラムに関する。
【背景技術】
【０００２】
従来より、機器の購入に際し試用期間が設けられ、購入予定者が、機器の機能などを確認した後に、本契約によって購入するような場合がある。このような場合、本契約では新品の機器が提供され、通常、購入者は購入した新品の機器に対し、機器の設定や、データのダウンロードなどをあらためて行っている。
【０００３】
このような手間を省くために、データをバックアップする技術が知られている。例えば、特許文献１は、バックアップしたデータを機種変更の際にユーザ端末にダウンロードできる技術が記載されている。具体的には、特許文献１のバックアップサーバ装置は、移動体端末装置のコンテンツダウンロード要求を中継し、中継段階で自動的にコンテンツのバックアップを行う。よって、コンテンツの誤消去やデータ破損、移動体端末装置自体の機種変更があったとしても、移動体端末装置のユーザは、同一コンテンツを、コンテンツサーバ装置からではなく、バックアップサーバ装置から取得可能となる。
【先行技術文献】
【特許文献】
【０００４】
【特許文献１】特開２００９−２３８０１６号公報
【発明の概要】
【発明が解決しようとする課題】
【０００５】
しかしながら、特許文献１に開示された技術の場合、ダウンロードされるコンテンツは、移動体端末装置でのダウンロードの際に、常に、バックアップされる。例えば、ユーザが使用している端末が本契約状態でない一時使用の端末だった場合であっても、バックアップデータが自動的に作成されるため、一時使用の端末の使用者が変わることによる不具合が発生するおそれがあり、情報の漏えいが生じるおそれもある。
一方、バックアップがされていないと、例えば、ツアーなどで一定期間のみ使用可能な端末としてユーザに携帯機器が一時的に貸し出され、貸し出された端末を用いて、ユーザがツアー情報やツアー中の写真などを記憶させた場合において、ユーザが記憶させたデータやユーザが使いやすいように設定した端末のデータは、端末を返却した際に消去されてしまい、ユーザにとっては不利不便である。
【０００６】
そこで、一時的に使用していた端末から、本契約により使用するようになった別の端末に移行しても、一時的に使用していた端末からの情報を漏えいすることもなく本契約の端末を違和感なく使えるようにする装置が求められている。
【０００７】
本発明は、ユーザが一時的に使用していた端末から、本契約により使用するようになった別の端末に移行しても、一時的に使用していた端末からの情報を漏えいすることもなくユーザが本契約の端末を違和感なく使えるようにするデータ管理装置、方法及びプログラムを提供することを目的とする。
【課題を解決するための手段】
【０００８】
具体的には、以下のような解決手段を提供する。
（１）  一時利用の契約の下でユーザによる使用が可能となった一時端末のデータを管理するデータ管理装置であって、データを記憶する保存記憶手段と、前記一時端末の登録を受け付け、前記一時端末を使用するときに用いる識別情報である一時ユーザ識別情報を発行する登録受付手段と、前記一時端末において生成された端末データ及び前記一時ユーザ識別情報を、所定のタイミングで前記一時端末から受信し、受信した前記端末データを前記一時ユーザ識別情報に対応付けて前記保存記憶手段に記憶させる保存制御手段と、前記一時ユーザ識別情報と共に、前記一時利用の契約に対する本契約の開始を受け付ける契約開始受付手段と、前記契約開始受付手段によって前記本契約の開始が受け付けられると、前記一時ユーザ識別情報に対応付けて記憶させた前記端末データを、前記本契約の対象である本契約端末に記憶させる端末再現手段と、を備えるデータ管理装置。
【０００９】
（１）の構成によれば、（１）に係るデータ管理装置は、一時端末の登録を受け付け、一時ユーザ識別情報を発行し、一時ユーザ識別情報及び一時端末において生成された端末データを、所定のタイミングで一時端末から受信し、受信した端末データを一時ユーザ識別情報に対応付けて保存記憶手段に記憶させる。そして、データ管理装置は、一時ユーザ識別情報と共に、本契約の開始を受け付け、本契約の開始を受け付けると、一時ユーザ識別情報に対応付けて記憶させた端末データを、本契約の対象である本契約端末に記憶させる。
【００１０】
すなわち、（１）に係るデータ管理装置は、一時端末で利用されていた環境やデータを、本契約端末で再現する。
したがって、（１）に係るデータ管理装置は、ユーザが一時的に使用していた端末から、本契約により使用するようになった別の端末に移行しても、一時的に使用していた端末からの情報を漏えいすることもなくユーザが本契約の端末を違和感なく使えるようにすることができる。
【００１１】
（２）  前記保存制御手段は、前記一時端末が前記端末データを生成するごとに、前記端末データを前記一時端末から受信する、（１）に記載のデータ管理装置。
【００１２】
したがって、（２）に係るデータ管理装置は、端末データが作成されるごとに受信して記憶しているので、ユーザが一時的に使用していた端末から、本契約により使用するようになった別の端末に移行しても、端末データを容易に再現し、一時的に使用していた端末からの情報を漏えいすることもなくユーザが本契約の端末を違和感なく使えるようにすることができる。
【００１３】
（３）  前記保存制御手段は、一定時間ごとに、前記端末データを前記一時端末から受信する、（１）に記載のデータ管理装置。
【００１４】
したがって、（３）に係るデータ管理装置は、一定時間ごとに端末データを受信して記憶しているので、ユーザが一時的に使用していた端末から、本契約により使用するようになった別の端末に移行しても、一時端末に負担をかけることなく端末データを容易に再現し、一時的に使用していた端末からの情報を漏えいすることもなくユーザが本契約の端末を違和感なく使えるようにすることができる。
【００１５】
（４）  前記一時ユーザ識別情報と共に、前記一時利用の契約終了を受け付ける契約終了受付手段をさらに備え、前記保存制御手段は、前記契約終了受付手段によって前記一時利用の契約終了が受け付けられると、前記一時端末に記憶されている前記端末データを前記一時ユーザ識別情報に対応付けて前記保存記憶手段に記憶させる、（１）に記載のデータ管理装置。
【００１６】
したがって、（４）に係るデータ管理装置は、一時利用の契約終了時に端末データを受信して記憶するので、ユーザが一時的に使用していた端末から、本契約により使用するようになった別の端末に移行しても、一時端末に負担をかけることなく端末データをさらに容易に再現し、一時的に使用していた端末からの情報を漏えいすることもなくユーザが本契約の端末を違和感なく使えるようにすることができる。
【００１７】
（５）  前記保存制御手段によって前記端末データが前記保存記憶手段に記憶された後、所定の期間が経過すると、前記所定の期間が経過した前記端末データを削除するデータ削除手段をさらに備える（１）から（４）のいずれかに記載のデータ管理装置。
【００１８】
したがって、（５）に係るデータ管理装置は、一時的に使用していた端末からの情報を漏えいすることもなく、所定の期間内に限って、ユーザが本契約の端末を違和感なく使えるようにすることができる。
【００１９】
（６）  前記一時ユーザ識別情報と共に、前記保存記憶手段に記憶された前記端末データを削除する削除指示を受け付ける削除指示受付手段をさらに備え、前記データ削除手段は、前記削除指示受付手段によって前記削除指示が受け付けられると、前記削除指示受付手段によって受け付けられた前記一時ユーザ識別情報に対応付けられた前記端末データを前記保存記憶手段から削除する、（５）に記載のデータ管理装置。
【００２０】
したがって、（６）に係るデータ管理装置は、ユーザが本契約により別の端末に違和感なく移行できるように保存していた情報であって、一時的に使用していた端末からの情報を漏えいすることがないようにすることができる。
【００２１】
（７）  （１）に記載のデータ管理装置が実行する方法であって、前記登録受付手段が、前記一時端末の登録を受け付け、前記一時端末を使用するときに用いる識別情報である一時ユーザ識別情報を発行する登録受付ステップと、前記保存制御手段が、前記一時端末において生成された端末データ及び前記一時ユーザ識別情報を、所定のタイミングで前記一時端末から受信し、受信した前記端末データを前記一時ユーザ識別情報に対応付けて前記保存記憶手段に記憶させる保存制御ステップと、前記契約開始受付手段が、前記一時ユーザ識別情報と共に、前記一時利用の契約に対する本契約の開始を受け付ける契約開始受付ステップと、前記端末再現手段が、前記契約開始受付ステップによって前記本契約の開始が受け付けられると、前記一時ユーザ識別情報に対応付けて記憶させた前記端末データを、前記本契約の対象である本契約端末に記憶させる端末再現ステップと、を備える方法。
【００２２】
したがって、（７）に係る方法は、ユーザが一時的に使用していた端末から、本契約により使用するようになった別の端末に移行しても、一時的に使用していた端末からの情報を漏えいすることもなくユーザが本契約の端末を違和感なく使えるようにすることができる。
【００２３】
（８）  コンピュータに、（７）に記載の方法の各ステップを実行させるためのプログラム。
【００２４】
したがって、（８）に係るプログラムは、コンピュータに、ユーザが一時的に使用していた端末から、本契約により使用するようになった別の端末に移行しても、一時的に使用していた端末からの情報を漏えいすることもなくユーザが本契約の端末を違和感なく使えるようにさせることができる。
【発明の効果】
【００２５】
本発明によれば、ユーザが一時的に使用していた端末から、本契約により使用するようになった別の端末に移行しても、一時的に使用していた端末からの情報を漏えいすることもなくユーザが本契約の端末を違和感なく使えるようにすることができる。
【図面の簡単な説明】
【００２６】
【図１】本発明の一の実施形態に係るデータ管理装置の構成を示す図である。
【図２】本発明の一の実施形態に係るデータ管理装置の保存記憶手段の例を示す図である。
【図３】本発明の一の実施形態に係るデータ管理装置のデータ保存処理を示すフローチャートである。
【図４】本発明の一の実施形態に係るデータ管理装置の端末再現処理を示すフローチャートである。
【図５】本発明の一の実施形態に係るデータ管理装置のデータ削除処理を示すフローチャートである。
【発明を実施するための形態】
【００２７】
以下、本発明の実施形態について、図を参照しながら説明する。
図１は、本発明の一の実施形態に係るデータ管理装置１０の構成を示す図である。
データ管理装置１０は、保存記憶手段２１と、登録受付手段１１と、保存制御手段１２と、契約開始受付手段１３と、端末再現手段１４とを備える。データ管理装置１０は、一時利用の契約の下で使用可能となった一時端末５０が保存したデータを管理する。一時端末５０は、例えば、スマートフォンなどの携帯機器が含まれる。データ管理装置１０は、携帯機器の普及などのために設けられた試用期間や、ツアーなどでの貸し出し期間に、ユーザによって記憶された写真やメモなどのデータを管理する。以下、手段ごとに説明する。
【００２８】
保存記憶手段２１は、データを記憶する。具体的には、保存記憶手段２１は、データ管理装置１０に接続されたハードディスクなどの補助記憶装置であってもよく、ネットワークを介して接続されたサーバなどであってもよい。
【００２９】
登録受付手段１１は、一時端末５０の登録を受け付け、一時端末５０を使用するときに用いる識別情報である一時ユーザ識別情報を発行する。さらに、登録受付手段１１は、発行した一時ユーザ識別情報を保存記憶手段２１に記憶させ、一時ユーザ識別情報に対応付けてデータを記憶させることができるようにする。
一時ユーザ識別情報は、一時端末５０を管理する組織（例えば、携帯機器などの端末を販売する販売会社など）によって発行されたＩＤや、一時端末５０の一時利用を管理する組織（例えば、端末の貸し出しを行っている旅行会社など）によって発行されたＩＤであってもよい。一時ユーザ識別情報は、一時的な、例えば、メールアドレス、パスワード、ユーザＩＤなどを含んでもよく、ユーザが一時端末５０を使用しているときに入力され、サーバへのアクセスや、電子メールなどに用いられてもよい。
【００３０】
保存制御手段１２は、一時端末５０において生成された端末データ及び前記一時ユーザ識別情報を、所定のタイミングで一時端末５０から受信し、受信した端末データを一時ユーザ識別情報に対応付けて保存記憶手段２１に記憶させる。
具体的には、保存制御手段１２は、所定のタイミングとして、一時端末５０が端末データを生成するごとに、端末データを一時端末５０から受信してもよい。また、保存制御手段１２は、所定のタイミングとして、一定時間ごとに、端末データを一時端末５０から受信してもよい。保存制御手段１２は、受信した端末データを、受信した一時識別情報に基づいて対応付けて保存記憶手段２１に記憶させる（後述する図２参照）。
【００３１】
端末データは、ユーザの使用により一時端末５０が記憶装置に記憶させたデータであり、例えば、一時端末５０での各種の設定情報や、写真データ、移動ログ、旅行会社のツアー案内情報、ダウンロードしたコンテンツなどがある。
【００３２】
なお、保存制御手段１２は、後述する端末再現手段１４によって本契約端末５１において一時端末５０のデータが再現されるように、一時端末５０の各種データを、各種データに応じて保存するとしてよい。例えば、保存制御手段１２は、一時端末５０で利用可能であったサーバによって提供されるデータを再現するために、サーバからデータをダウンロードして保存記憶手段２１に記憶させるとしてもよい。
【００３３】
契約開始受付手段１３は、一時利用の契約に対する本契約の開始を受け付ける。具体的には、契約開始受付手段１３は、キーボードや文字入力画面などの入力手段から、一時端末５０を使用しているときに用いられた一時ユーザ識別情報の入力を受け付けると共に、本契約の開始を受け付ける。
【００３４】
端末再現手段１４は、契約開始受付手段１３によって本契約の開始が受け付けられると、一時ユーザ識別情報に対応付けて記憶させた端末データを本契約の対象である本契約端末５１に記憶させる。具体的には、端末再現手段１４は、一時ユーザ識別情報に対応付けて記憶させた保存記憶手段２１の端末データを、本契約端末５１の所定の場所（設定データやコンテンツなどを記憶する記憶装置など）に記憶させるために、本契約端末５１に送信して、記憶させる。なお、保存制御手段１２が、サーバからデータをダウンロードして保存記憶手段２１に記憶させている場合、端末再現手段１４は、一時ユーザ識別情報を用いてサーバにデータをアップロードして再現するとしてもよい。
【００３５】
データ管理装置１０が、契約終了受付手段１１１と、データ削除手段１５と、削除指示受付手段１６とをさらに備える場合について説明する。
【００３６】
契約終了受付手段１１１は、一時ユーザ識別情報と共に、一時利用の契約終了を受け付ける。具体的には、契約終了受付手段１１１は、キーボードや文字入力画面などの入力手段から、一時ユーザ識別情報の入力を受け付けると共に、一時利用の契約終了を受け付ける。
【００３７】
保存制御手段１２は、契約終了受付手段１１１によって一時利用の契約終了が受け付けられると、一時端末５０に記憶されている端末データを、一時ユーザ識別情報に対応付けて保存記憶手段２１に記憶させる。端末再現手段１４は、契約開始受付手段１３によって本契約の開始が受け付けられると、一時ユーザ識別情報に対応付けて記憶させた端末データを本契約端末５１に記憶させる。
【００３８】
データ削除手段１５は、保存制御手段１２によって端末データが保存記憶手段２１に記憶された後、所定の期間が経過すると、所定の期間が経過した端末データを削除する。具体的には、データ削除手段１５は、保存記憶手段２１に記憶されている最新保存日（後述する図２参照）が所定の期間（例えば、１か月）を経過しているか否かを判断し、所定の期間が経過していると判断した場合に、該当する端末データを削除する。なお、最新保存日は、保存制御手段１２が最後に保存した日付であるが、保存制御手段１２が保存を開始した保存開始日であってもよい。
【００３９】
削除指示受付手段１６は、一時ユーザ識別情報と共に、保存記憶手段２１に記憶された端末データを削除する削除指示を受け付ける。データ削除手段１５は、削除指示受付手段１６によって削除指示が受け付けられると、削除指示受付手段１６によって受け付けられた一時ユーザ識別情報に対応付けられた端末データを保存記憶手段２１から削除する。
例えば、削除指示受付手段１６は、一時契約終了時に本契約移行の意思がないユーザや、一時契約終了後、所定の期間が経過しない期間に本契約移行の意思がなくなったユーザからの削除指示に基づいて、削除指示を受け付ける。
【００４０】
図２は、本発明の一の実施形態に係るデータ管理装置１０の保存記憶手段２１の例を示す図である。図２の例のように、保存記憶手段２１は、一時ユーザ識別情報に対応付けて、端末データと、最新保存日とを記憶している。
端末データは、一時端末５０に記憶されていたデータであって一時端末５０から送信されたデータである。最新保存日は、保存制御手段１２によって保存記憶手段２１にデータが記憶された最新の日である。
【００４１】
図３は、本発明の一の実施形態に係るデータ管理装置１０のデータ保存処理を示すフローチャートである。データ管理装置１０は、コンピュータ及びその周辺装置が備えるハードウェア並びに該ハードウェアを制御するソフトウェアによって構成され、以下の処理は、それぞれの制御部（例えば、ＣＰＵ）が、ＯＳの下で所定のソフトウェアに従い実行する処理である。
【００４２】
ステップＳ１０１において、ＣＰＵ（登録受付手段１１）は、一時端末５０の登録を受け付け、一時ユーザ識別情報を発行する。より具体的には、ＣＰＵは、一時ユーザ識別情報を発行し、発行した一時ユーザ識別情報を保存記憶手段２１に記憶させる。
【００４３】
ステップＳ１０２において、ＣＰＵ（保存制御手段１２）は、一時ユーザ識別情報と共に、一時端末５０から端末データを受信する。
【００４４】
ステップＳ１０３において、ＣＰＵ（保存制御手段１２）は、受信した端末データを一時ユーザ識別情報に対応付けて保存記憶手段２１に記憶させる。より具体的には、ＣＰＵは、所定のタイミング（端末データが生成されるごとや、一定時間ごと、一時利用の契約終了時）で一時端末５０から端末データを受信して、一時ユーザ識別情報に対応付けて保存記憶手段２１に記憶させる。
【００４５】
図４は、本発明の一の実施形態に係るデータ管理装置１０の端末再現処理を示すフローチャートである。
【００４６】
ステップＳ２０１において、ＣＰＵ（契約開始受付手段１３）は、一時ユーザ識別情報と共に、本契約の開始を受け付ける。より具体的には、ＣＰＵは、文字入力画面から、一時端末５０を使用しているときに用いられた一時ユーザ識別情報の入力と共に、本契約の開始を受け付ける。
【００４７】
ステップＳ２０２において、ＣＰＵ（端末再現手段１４）は、一時ユーザ識別情報に対応付けた端末データを本契約端末５１に記憶させる。より具体的には、ＣＰＵは、一時ユーザ識別情報に対応付けて記憶させた保存記憶手段２１の端末データを本契約端末５１に送信する。受信した本契約端末５１は、端末データを所定の場所（設定データやコンテンツなどを記憶する記憶装置など）に記憶する。
【００４８】
図５は、本発明の一の実施形態に係るデータ管理装置１０のデータ削除処理を示すフローチャートである。
【００４９】
ステップＳ３０１において、ＣＰＵ（データ削除手段１５）は、所定の期間が経過したか否かを判断する。この判断がＹＥＳの場合、ＣＰＵは、処理をステップＳ３０２に移し、この判断がＮＯの場合、ＣＰＵは、処理をステップＳ３０３に移す。
【００５０】
ステップＳ３０２において、ＣＰＵ（データ削除手段１５）は、該当するデータを削除する。より具体的には、ＣＰＵは、所定期間（例えば、１か月）を経過した端末データを削除する。
【００５１】
ステップＳ３０３において、ＣＰＵ（削除指示受付手段１６）は、削除指示を受け付けたか否かを判断する。この判断がＹＥＳの場合、ＣＰＵは、処理をステップＳ３０４に移し、この判断がＮＯの場合、ＣＰＵは、処理を終了する。
【００５２】
ステップＳ３０４において、ＣＰＵ（データ削除手段１５）は、該当するデータを削除する。より具体的には、ＣＰＵは、受け付けた一時ユーザ識別情報に対応付けられた端末データを保存記憶手段２１から削除する。
【００５３】
本実施形態によれば、データ管理装置１０は、一時端末５０の登録を受け付け、一時端末５０を使用するときに用いる識別情報である一時ユーザ識別情報を発行し、一時端末５０において生成された端末データを一時ユーザ識別情報と共に、所定のタイミング（一時端末５０が端末データを生成するごとや、一定時間ごと、一時利用の契約終了）で一時端末５０から受信し、受信した端末データを一時ユーザ識別情報に対応付けて保存記憶手段２１に記憶させる。そして、データ管理装置１０は、一時ユーザ識別情報と共に本契約の開始を受け付けると、一時ユーザ識別情報に対応付けて記憶させた端末データを本契約端末５１に記憶させる。さらに、データ管理装置１０は、端末データを保存記憶手段２１に記憶させた後、所定の期間が経過すると、所定の期間が経過した端末データを削除し、削除指示を受け付けると、削除指示された端末データを削除する。
したがって、データ管理装置１０は、ユーザが一時的に使用していた端末から、本契約により使用するようになった別の端末に移行しても、一時的に使用していた端末からの情報を漏えいすることもなくユーザが本契約の端末を違和感なく使えるようにすることができる。さらに、データ管理装置１０は、所定の期間内に限って、本契約の端末を違和感なく使えるようにすることができる。
【００５４】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００５５】
１０    データ管理装置
１１    登録受付手段
１１１  契約終了受付手段
１２    保存制御手段
１３    契約開始受付手段
１４    端末再現手段
１５    データ削除手段
１６    削除指示受付手段
２１    保存記憶手段
５０    一時端末
５１    本契約端末
【図１】
0005956493.tif 000002
【図２】
0005956493.tif 000003
【図３】
0005956493.tif 000004
【図４】
0005956493.tif 000005
【図５】
0005956493.tif 000006